(57)【要約】【課題】遠隔操作用リモコンの消費電力を、コストアップを抑えながら、操作性を損なうことなく、抑制する。【解決手段】利用者が押しボタン２を押してから戻る時間が、マイコンのＣＰＵの運転周波数の低速状態から高速状態まで遷移する時間より長くなるように、第１の摩擦抵抗部２５を設ける。これにより、第１の接点９の導通が維持されるので、マイコンが押しボタン２が押されたことを認識することができるので、利用者の操作性が向上する。【選択図】図１
2012034068.tif 000002
【特許請求の範囲】
【請求項１】
所定の動作が割り当てられた操作ボタンと、使用状態と待機状態とで動作クロックを切り換えるマイコンと、前記所定の動作を行う信号を前記マイコンに入力する第１の接点と、前記マイコンの動作クロックを切り換える信号を前記マイコンに入力する第２の接点とを備え、前記操作ボタンは、前記第２の接点との接続後、前記マイコンが使用状態に切り換わるまで、前記第１の接点との接続を維持する保持手段を有することを特徴とする遠隔操作装置。
【発明の詳細な説明】
【技術分野】
【０００１】
本発明は、リモコンなどの遠隔制御装置において、消費電力を抑制し、電源となる電池の延命を図るものに関するものである。
【背景技術】
【０００２】
近年、ルーム用エアコンの高級機種においては、フィルターお掃除機能や、空気清浄機能などの多機能化が著しく、それに伴い、ルーム用エアコンを操作するリモコンも表示内容や、操作ボタン数などが増加している。
【０００３】
そのため、リモコンが内蔵するマイコンのＣＰＵが処理する情報が増大している。そして、ＣＰＵの消費電力が増大することによるリモコン用電池の電気消費量が増大している。
【０００４】
リモコンの消費電力を抑制するための従来の方法は、リモコンに角度センサを搭載し、一定時間角度変化がない場合、省エネモードへ遷移する方法がある（例えば、特許文献１参照）。
【０００５】
しかしながら、この方法では、角度センサを常時稼動するための電力を必要とし、本格的な消費電力抑制には至っていない。
【０００６】
また、リモコンの近くに人がいるかどうかを判断し、人間が近くにいるときには、リモコンの電源をＯＮとし、逆に人間が近くにいないときには、リモコンの電源をＯＦＦとするなどの方法がある（例えば、特許文献２参照）。
【０００７】
しかしながら、この方式では、赤外線センサを駆動する電源は常時ＯＮにする必要があり、本格的に消費電力を抑制するには至っていない。
【０００８】
また、リモコンの消費電力を抑制するためには、ＣＰＵの消費電力を抑制する必要があり、ＣＰＵの消費電力を抑制するためには、処理を必要としない間、つまり待機状態では、ＣＰＵの処理速度を落とすサスペンド状態にし、処理を必要とする場合、つまり使用状態ではＣＰＵの処理速度を高速にするレジューム状態にする方法が有効である。
【０００９】
しかしながら、待機状態（サスペンド状態）から使用状態（レジューム状態）へ遷移するのにタイムラグがあるため、以下のような操作が必要であった。
【００１０】
リモコンのボタン操作のため、
１．ウェイクＵＰボタンを押す。（サスペンド状態からレジューム状態へ遷移する。）
２．操作ボタンを押す。
【００１１】
つまり、本来、ボタン操作は一回で済んでいたところが、二回の操作を要求する必要がある。そのため、利用者がリモコン操作に煩雑さを感じる場合が生じる可能性が高かった。そのため、実用化には至っていなかった。
【先行技術文献】
【特許文献】
【００１２】
【特許文献１】特開２０００−２４９３８８号公報
【特許文献２】特開平５−３４４５６７号公報
【発明の概要】
【発明が解決しようとする課題】
【００１３】
前記従来の構成では、従来１回で済んでいたリモコンのボタン操作が、２回になるため、利用者に煩わしさを与えるなど、操作性に課題があった。
【課題を解決するための手段】
【００１４】
前記従来の課題を解決するために、本発明の遠隔操作装置は、所定の動作が割り当てられた操作ボタンと、使用状態と待機状態とで動作クロックを切り換えるマイコンと、前記所定の動作を行う信号を前記マイコンに入力する第１の接点と、前記マイコンの動作クロックを切り換える信号を前記マイコンに入力する第２の接点とを備え、前記操作ボタンは、前記第２の接点との接続後、前記マイコンが使用状態に切り換わるまで、前記第１の接点との接続を維持する保持手段を有するものである。
【００１５】
この構成によれば、操作性を損なうことなく、電池消費電力を抑制し、電池を長持ちさせる省資源の遠隔操作装置を提供することが可能となる。
【発明の効果】
【００１６】
本発明の空気調和機は、遠隔操作を行うリモコンの電池消費電力を抑制し、電池を長持ちさせることが可能とする。
【図面の簡単な説明】
【００１７】
【図１】本発明の実施の形態１におけるリモコンの押しボタン部の構成断面図
【図２】本発明の実施の形態１における押しボタン部を利用者が押印した状態の構成断面図
【発明を実施するための形態】
【００１８】
本発明は、本発明の遠隔操作装置は、所定の動作が割り当てられた操作ボタンと、使用状態と待機状態とで動作クロックを切り換えるマイコンと、前記所定の動作を行う信号を前記マイコンに入力する第１の接点と、前記マイコンの動作クロックを切り換える信号を前記マイコンに入力する第２の接点とを備え、前記操作ボタンは、前記第２の接点との接続後、前記マイコンが使用状態に切り換わるまで、前記第１の接点との接続を維持する保持手段を有するものである。
【００１９】
この構成によれば、保持手段により、操作ボタンから手を離してからマイコンの動作クロックが低速状態から高速状態までの間、第１の接点との接続が維持されているために、第１の接点が接続している状態をマイコンが認識することが可能になる。
【００２０】
こうすることにより、操作性を著しく損なうことなく、電池消費電力を抑制し、電池を長持ちさせる省資源のリモコンを提供することが可能となる。
【００２１】
以下、本発明の実施の形態について、図面を参照しながら説明する。なお、この実施の形態によって本発明が限定されるものではない。
【００２２】
（実施の形態１）
図１は、本発明の実施の形態１における空気調和機の室内機の遠隔操作装置であるリモコンにおける押しボタン部の構成断面図である。
【００２３】
図２は、上記の押しボタン部を、利用者が押印した状態の構成断面図である。
【００２４】
図１において、リモコン１に備わる押しボタン２は、バネ性部３を介して接合面４にて、リモコン１の表面を形成する表面板５に結合されている。
【００２５】
押しボタン２には、裏面に印加方向に長い棒６が備えられている。リモコン１のプリント基板７には、押しボタン２に対応する機能を動作させるために機能操作用接点である第１の接点９、および、ＣＰＵ処理速度（動作クロック）を低速から高速への運転切り替え用接点である第２の接点８が設けられている。
【００２６】
第１の接点９に対するスイッチの役割をする第１のアーム２０は、第１の支点２１を中心として回転する。
【００２７】
第１のアーム２０の先端には、導電性の第１の導通部２２が設けられていて、この第１の導通部２２は、第１のアーム２０を回転することで第１の接点９に接触する。しかし、第１のアーム２０には、第１のバネホルダ２３に接続された、第１のバネ２４が結合されており、通常は、第１のバネ２４に引き寄せられ、第１の導通部２２は、第１の接点９から離れている。
【００２８】
また、第２の接点８に対するスイッチの役割をする第２のアーム１０は、第２の支点１１を中心として回転する。
【００２９】
第２のアーム１０の先端には、導電性の第２の導通部１２が設けられていて、この第２の導通部１２は、第２のアーム１０を回転することで第２の接点８に接触する。第２のアーム１０には、第２のバネホルダ１３に接続された、第２のバネ１４が結合されており、通常は、第２のバネ１４に引き寄せられ、第２の導通部１２は、第２の接点８から離れている。
【００３０】
また、第１のアーム２０および、第２のアーム１０には、棒６と接触する部分には、本発明の保持手段としての第１の摩擦抵抗部２５および、第２の摩擦抵抗部１５が設けられている。この摩擦抵抗部は表面にギザギザを設けるとか、摩擦抵抗の大きい塗料などを施しても良い。
【００３１】
この構成によれば、リモコンを利用者が使用しない間、つまり待機状態では、リモコンのマイコンのＣＰＵの動作状態は、動作周波数（動作クロック）を低周波数におさえた休止状態（サスペンド状態）となっている。
【００３２】
利用者がリモコン１の押しボタン２を押すと、バネ性部３が撓み押しボタン２が埋没する。
【００３３】
図２はこのときの押しボタン２が押印されている状態を示している。
【００３４】
図２で示す様に、押しボタン２の裏面に設けられた棒６によって押された第２のアーム１０は、第２の支点１１を中心に回転し、第２のアーム１０の先端の第２の導通部１２は第２の接点８に接触する。同時に、棒６によって押された第１のアーム２０は、第１の支点２１を中心に回転し、第１のアーム２０の先端に設けられた第１の導通部２２が、第１の接点９に接触する。
【００３５】
第２の接点８が導通すると、マイコンのＣＰＵの運転周波数（動作クロック）は、低周波であるサスペンド状態から高周波数で運転するレジューム状態へ遷移を開始する。
【００３６】
ここで、サスペンド状態からレジューム状態へ遷移するのに、タイムラグが生じる。す
なわち、マイコンが待機状態から使用状態へ遷移するのに、多少の時間が必要となる。
【００３７】
利用者が押しボタン２を押す手を離すと、押しボタン２は、バネ性部３の撓みの復元力で、押される前の状態へ復旧しようするが、棒６は、第２のアーム１０と第２の摩擦抵抗部１５で接触しており、また、棒６は、第１のアーム２０と第１の摩擦抵抗部２５で接触しているため、ゆっくりと時間をかけて復旧することとなる。
【００３８】
棒６が第２のアーム１０および、第１のアーム２０との接触を乖離するまで、第２のアーム１０および第１のアーム２０は、それぞれ、第２の接点８および、第１の接点９を導通し続けることとなる。
【００３９】
バネ性部３、第２のバネ１４、第１のバネ２４、第２の摩擦抵抗部１５、第１の摩擦抵抗部２５を調整することにより、第２の接点８および第１の接点９の導通している時間を、サスペンド状態からレジューム状態へ遷移するのに発生するタイムラグより長く保つことが可能になる。
【００４０】
すなわち、ＣＰＵがレジュームになった時点でもなお、操作機能用の第１の接点９が導通していることとなる。これにより、あらかじめその押しボタン２に設定された所定の動作を行う信号をマイコンに入力することができる。
【００４１】
こうすることにより、本発明の遠隔制御装置は操作性を著しく損なうことなく、電池消費電力を抑制し、電池を長持ちさせる省資源のリモコンを提供することが可能となる。
【００４２】
換言すると、本発明の実施の形態では、１つの押しボタン２につき、機能操作を行う第１の接点９と、マイコンのＣＰＵ運転周波数を低速状態から、高速状態へと遷移させる第２の接点を合わせ持ち、且つ、押しボタン２が復旧の時には、第１の接点９の接続時間が、マイコンのＣＰＵの運転周波数の低速状態から高速状態までの時間より長くなるように接点を保持する第２の摩擦抵抗部１５、第１の摩擦抵抗部２５を備えている。
【００４３】
ある押しボタン２を押すと、マイコンのＣＰＵの動作クロックを低速から高速へ遷移させる第２の接点がＯＮになり、いわゆるサスペンド状態からレジューム状態への遷移が開始される。同時に、第１の接点もＯＮされることとなる。仮に、第２の摩擦抵抗部１５、第１の摩擦抵抗部２５を備えていない場合には、第１の接点９の接続は、ＣＰＵが完全に立ち上がっていないので、ＣＰＵから認識が行うことができない。
【００４４】
しかし、本発明の実施の形態では、押しボタン２から手を離してから、押しボタン２が元の位置へもどる復旧動作が開始されるが、その際、第１の接点９が接続している時間が、マイコンのＣＰＵの運転周波数の低速状態から高速状態までの時間より長くなるように第２の摩擦抵抗部１５、第１の摩擦抵抗部２５を備えているため、第１の接点９の導通が保持されているので、マイコンのＣＰＵが使用状態（レジューム状態）になり、ＣＰＵが操作ボタンの状態を認識することが可能になる。
【００４５】
したがって、操作性を損なうことなく、電池消費電力を抑制し、電池を長持ちさせる省資源の遠隔操作装置を提供することが可能となる。
【００４６】
なお、本実施の形態では、保持手段として第１の摩擦抵抗部２５、第２の摩擦抵抗部１５を設けたが、いずれか一方だけでも本発明の効果を得ることができる。
【産業上の利用可能性】
【００４７】
以上のように、本発明にかかる遠隔制御装置は、遠隔操作を必要とする電子機器におけ
る遠隔操作用リモコンの消費電力を抑制することを可能にする。このため、空気調和機の室内機の運転操作を行うリモコンなどに適する。
【符号の説明】
【００４８】
１  リモコン
２  押しボタン
３  バネ性部
４  接合面
５  表面板
６  棒
７  プリント基板
８  第２の接点
９  第１の接点
１０  第２のアーム
１１  第２の支点
１２  第２の導通部
１３  第２のバネホルダ
１４  第２のバネ
１５  第２の摩擦抵抗部
２０  第１のアーム
２１  第１の支点
２２  第１の導通部
２３  第１のバネホルダ
２４  第１のバネ
２５  第１の摩擦抵抗部
【図１】
2012034068.tif 000003
【図２】
2012034068.tif 000004